(57)【要約】【課題】本発明は、ＩＴ事業の中で立ち遅れている「感性」の部分に重点をおいて、ユーザーの共感をよぶ広告コンテンツの配信技術などを提供することにある。【解決手段】複数のユーザー端末とサーバーとが常時接続されている常時接続環境下において、ユーザー端末のデスクトップ環境をオンラインで配信する。すなわち、サーバーからはユーザーのリクエストに対応させた広告コンテンツをそのユーザーのユーザー端末へ配信し、ユーザー端末では、その配信された広告コンテンツをデスクトップとして表示する。また、サーバーは、ユーザーからのリクエストに対応させた広告コンテンツの他に、他のユーザーからのリクエストに対応させた広告コンテンツをも混在させて配信させてもよい。【選択図】  図１
2004280510.tif 000002
【特許請求の範囲】
【請求項１】
複数のユーザー端末とサーバーとが常時接続されている常時接続環境下において、ユーザー端末のデスクトップ環境をオンラインで配信するデスクトップ環境オンライン配信システムであって、
サーバーからはデスクトップ環境を提供するためのデスクトップ環境データをユーザー端末へ配信するデスクトップ環境配信手段と、
ユーザー端末では、その配信されたデスクトップ環境データに基づいて、デスクトップを表示させるデスクトップ表示手段とを備えたデスクトップ環境オンライン配信システム。
【請求項２】
サーバーには、広告コンテンツを蓄積した広告コンテンツデータベースを備え、
デスクトップ環境配信手段が、デスクトップにユーザーからリクエストされた広告またはユーザー属性情報に対応させた広告コンテンツを表示するために、デスクトップ環境データとして、リクエストに対応させた広告コンテンツまたはユーザー属性情報に対応させた広告コンテンツをユーザー端末へ配信する請求項１記載のデスクトップ環境オンライン配信システム。
【請求項３】
デスクトップ環境配信手段が、ユーザーからのリクエストに対応させた広告コンテンツまたはユーザー属性情報に対応させた広告コンテンツの他に、他のユーザーからのリクエストに対応させた広告コンテンツまたは他のユーザー属性情報に対応させた広告コンテンツをも混在させて配信する請求項２記載のデスクトップ環境オンライン配信システム。
【請求項４】
複数のユーザー端末とサーバーとが常時接続されている常時接続環境下において、ユーザー端末のデスクトップ環境をオンラインで配信するデスクトップ環境オンライン配信システムであって、
サーバーにはアプリケーションを蓄積したアプリケーションデータベースと、
ユーザーがサーバーにあるアプリケーションの利用を可能とする仮想デスクトップを、サーバーからユーザー端末へ配信する仮想デスクトップ配信手段と、
ユーザー端末では、配信された仮想デスクトップをデスクトップとして表示させる仮想デスクトップ表示手段と、
サーバーでは、仮想デスクトップからのアプリケーションの選択に応じて、そのアプリケーションをユーザー端末へ提供するアプリケーション提供手段とを備えたデスクトップ環境オンライン配信システム。
【請求項５】
複数のユーザー端末とサーバーとが常時接続されている常時接続環境下において、ユーザー端末のデスクトップ環境をオンラインで配信するデスクトップ環境オンライン配信システムであって、
サーバーは、ユーザー端末へ大容量の計算を割り振る割振手段と、
ユーザー端末は、割り振られた計算を処理する計算処理手段と、
サーバーは、ユーザー端末が計算処理した結果を回収する結果回収手段とを備えたデスクトップ環境オンライン配信システム。
【発明の詳細な説明】
【０００１】
【発明の属する技術分野】
本発明は、インターネットへの常時接続環境にあるブロードバンド下で、ユーザー端末のデスクトップ環境をオンラインで配信することにより、ユーザー端末（パソコン）の新たな利用方法を提供するものである。
【０００２】
【従来の技術】
ほとんどのユーザー端末のデスクトップはアイコンを表示させたり、壁紙を貼り付けるだけで、とくに活用されているものではなかった。
しかし、近年のブロードバンド化に伴い、ユーザー端末においてインターネットへの常時接続が可能な環境となってきた。
そこで、この常時接続を利用してデスクトップを活用することが考えられる。例えば、広告である。
【０００３】
これまでインターネット上で広く普及してきたメール広告やバナー広告など、いわゆるプッシュ型の広告手段は飽和し、効果がなくなってきている。
特許文献１では、このようなプッシュ型の広告手段において、その広告効果を向上させる手段が開示されている。
【０００４】
しかし、ユーザーの嗜好の多様化に伴い、プッシュ型よりもユーザーからアプローチできるプル型の広告手段が望まれる。
ただし、従来のプル型の広告手段では、図６に示すように広告配信元の企業と広告配信先のユーザーとが一対一（ｏｎｅ  ｔｏ  ｏｎｅ）の関係にあり、閉鎖された環境にあった。
【０００５】
また、プル型の広告手段としては、特許文献２が挙げられる。特許文献２は、ユーザーの端末装置に第１の画像を表示させるブラウザ（インターネットブラウザ）の他に、第２の画像を表示させるメッセージビューワを起動可能とするものである。
そして、このメッセージビューワに付加的情報として広告等の第２の画像（メッセージ）を表示させることで、プル型の広告手段を実現する。
【０００６】
しかし、特許文献２に係る技術は、図７に示すように、ワールドワイドウエブ（ＷＷＷ）への接続を提供する情報提供装置（プロバイダ装置）に、第２の画像を蓄積したメッセージデータベースとその第２の画像をユーザー端末装置へ送信する送信手段とを備えていなければならない。
従って、ユーザーの端末装置が、上記設備を備えたプロバイダと接続しなければこのプル型の広告手段を実現することができないという問題があった。
【０００７】
【特許文献１】
特開２００１−２４９７５０号公報
【特許文献２】
特許第３２１６８１２号公報
【０００８】
【発明が解決しようとする課題】
そこで、本発明は、常時接続とデスクトップとを活用して、ＩＴ事業の中で立ち遅れている「感性」の部分に重点をおいて、ユーザーの共感をよぶ広告コンテンツの配信技術を提供することを目的とする。
また、広告以外にも、ユーザー端末の持つオペレーティングシステムを仮想的に拡張し、仮想アプリケーションを提供すること、さらには、多数のユーザー端末に分散されたひとまとまりの仮想コンピュータを形成し、高速に計算処理を行うグリッドコンピューティングを提供することを目的とする。
【０００９】
【課題を解決するための手段】
上記目的を達成するために、第一の発明は、
複数のユーザー端末とサーバーとが常時接続されている常時接続環境下において、ユーザー端末のデスクトップ環境をオンラインで配信するデスクトップ環境オンライン配信システムであって、
サーバーからはデスクトップ環境を提供するためのデスクトップ環境データをユーザー端末へ配信するデスクトップ環境配信手段と、
ユーザー端末では、その配信されたデスクトップ環境データに基づいて、デスクトップを表示させるデスクトップ表示手段とを備えることを特徴とする。
ここで、「サーバー」とは、ユーザー端末に対する情報提供装置およびその制御装置のことをいう。以下、他の請求項においても同様である。
【００１０】
第二の発明は、サーバーには、広告コンテンツを蓄積した広告コンテンツデータベースを備え、
デスクトップ環境配信手段が、デスクトップにユーザーからリクエストされた広告またはユーザー属性情報に対応させた広告コンテンツを表示するために、デスクトップ環境データとして、リクエストに対応させた広告コンテンツまたはユーザー属性情報に対応させた広告コンテンツをユーザー端末へ配信することを特徴とする。
ここで、「広告コンテンツ」とは、動画データ、静止画データ、音声データやこれらの組み合わせ等ユーザに情報を提供できる広告をいう。以下、他の請求項においても同様である。
また、「ユーザー属性情報」とは、サーバーに登録されている性別・年齢・趣味等のユーザー情報をいう。
【００１１】
第三の発明は、デスクトップ環境配信手段が、ユーザーからのリクエストに対応させた広告コンテンツまたはユーザー属性情報に対応させた広告コンテンツの他に、他のユーザーからのリクエストに対応させた広告コンテンツまたは他のユーザー属性情報に対応させた広告コンテンツをも混在させて配信することを特徴とする。
【００１２】
第四の発明は、複数のユーザー端末とサーバーとが常時接続されている常時接続環境下において、ユーザー端末のデスクトップ環境をオンラインで配信するデスクトップ環境オンライン配信システムであって、
サーバーにはアプリケーションを蓄積したアプリケーションデータベースと、
ユーザーがサーバーにあるアプリケーションの利用を可能とする仮想デスクトップを、サーバーからユーザー端末へ配信する仮想デスクトップ配信手段と、
ユーザー端末では、配信された仮想デスクトップをデスクトップとして表示させる仮想デスクトップ表示手段と、
サーバーでは、仮想デスクトップからのアプリケーションの選択に応じて、そのアプリケーションをユーザー端末へ提供するアプリケーション提供手段とを備えることを特徴とする。
【００１３】
第五の発明は、複数のユーザー端末とサーバーとが常時接続されている常時接続環境下において、ユーザー端末のデスクトップ環境をオンラインで配信するデスクトップ環境オンライン配信システムであって、
サーバーは、ユーザー端末へ大容量の計算を割り振る割振手段と、
ユーザー端末は、割り振られた計算を処理する計算処理手段と、
サーバーは、ユーザー端末が計算処理した結果を回収する結果回収手段とを備えることを特徴とする。
【００１４】
【作用】
このようにしてサーバーからユーザー端末に配信されるデスクトップ環境は、（ｉ）即時性（ｉｉ）非同期性（ｉｉｉ）双方向性の機能を有する。
すなわち、（ｉ）即時性とは、即時に配信される内容、動作、表示される内容が変化すること、（ｉｉ）非同期性とは、あらかじめ配信したデータを時刻によって起動し、動作、表示される内容が変化すること、（ｉｉｉ）双方向性とは、ユーザーの過去の操作状況から、配信される内容、動作、表示される内容が変化することである。
【００１５】
【発明の実施の形態】
本発明の実施の形態を図面を参照して説明する。
図１は、第一の実施形態を示す概念図である。
動画や静止画等で作成された広告コンテンツデータを配信するサーバー（広告提供者）と、複数のユーザー端末１，１，…（広告配信先）とを常時接続する。
サーバー側は、広告主である企業等からユーザーへ配信する広告コンテンツデータの提供を受け、それを広告データベースへ蓄積する。
【００１６】
ユーザー側では、ユーザー端末１を通じて、配信される広告に対するリクエストをサーバー側へ通知する。リクエストは、配信を希望する広告の企業名・ブランド名であったり、ジャンル（婦人服、自動車等）であったり、あるいはユーザーのイメージ（静かな雰囲気のもの、ヨーロッパ的なもの等）など、様々なバリエーションで考えられる。
【００１７】
サーバー側では、ユーザー側からのリクエストを受信し、これをサーバー側のリクエストデータベースへ登録する。
そして、サーバー側はそのリクエスト内容に対応する広告コンテンツデータをユーザー端末１へ配信する。配信した履歴は、サーバー側の配信履歴データベースへ登録される。
【００１８】
図２は、第一の実施形態を具体的に示した説明図である。
まず、サーバーＸ（広告配信者）は、ユーザーＡからのリクエストを受信する（リクエスト受信手順）。ユーザーＡ（広告配信先）からのリクエストには「○○ブランドの婦人服」が選択されていた。
サーバーＸでは、このユーザーＡからのリクエストをリクエストデータベースへ登録する（リクエスト登録手順）。
そして、ユーザーＡからのリクエストである「○○ブランドの婦人服」の広告コンテンツデータを広告データベースの中から検索し（配信広告検索手順）、検出された「○○ブランドの婦人服」の広告コンテンツデータをユーザーＡへ配信する（広告配信手順）。
また、ユーザーＡへ「○○ブランドの婦人服」の広告コンテンツデータを配信した結果は、配信履歴データベースへ登録される（配信履歴登録手順）。
【００１９】
ユーザーＡは、サーバーＸから配信された「○○ブランドの婦人服」の広告コンテンツデータをユーザー端末のデスクトップとして表示する。
なお、配信された広告コンテンツデータをデスクトップとして表示する機能は、通常ユーザー端末にインストールされているＯＳ（オペレーション・システム）が備えているので（例えば、マイクロソフト社ウインドウズ）、これを活用する。こうすることで、ユーザー側は本サービスを受けるにあたり、とくにＣＤ−ＲＯＭ等の記録媒体やダウンロードなどによるユーザー端末の機能強化・設備追加を不要とできる。
従って、コストパフォーマンスが非常に高い。
【００２０】
また、ユーザーＡのユーザー端末１とサーバーＸとは常時接続されているので、ユーザーＡのユーザー端末１のデスクトップ２には、「○○ブランドの婦人服」の広告が常時表示されることになる。
このようにすることで、ユーザー端末１のデスクトップ２が室内に置かれた観葉植物３のような存在となり、ＩＴ事業の中で立ち遅れているユーザーの「感性」に訴えることができるようになる。
【００２１】
さらに、この「○○ブランドの婦人服」の広告はインターネットブラウザを使用して表示させているわけではないので、デスクトップ２上のアイコンは隠れない。また、「○○ブランドの婦人服」の広告を表示させながら、他のプログラムを立ち上げて、パソコンを操作することも可能である。
従って、ユーザーはＯＳとの「シームレス（つなぎ目の無い）」な操作感覚を得られる。
【００２２】
前述した図１には、ユーザーどうしが影響され合う記載がされている。これを説明したのが図３である。
サーバーＸには多数のユーザー端末１，１，…が常時接続されており、各ユーザーからリクエストを受信し（リクエスト受信手順）、それに基づく配信結果が配信履歴データベースに登録される（配信履歴登録手順）。
サーバーＸは、ユーザーＢからリクエストｂを、ユーザーＣからもリクエストｂを、ユーザーＤからリクエストｄをそれぞれ受信した。
【００２３】
そして、サーバー側では、ユーザーからのリクエストに対応させた広告コンテンツデータの他に、配信履歴データベースに登録されたものの中から、他のユーザーへ配信した広告コンテンツデータをも混在させて配信する。
図３のサーバーＸは、ユーザーＤに対して、ユーザーＤからのリクエストの他に、ユーザーＢおよびＣからのリクエストｂについての広告コンテンツデータを配信する。
【００２４】
こうすることで、あるユーザーＢおよびＣのリクエストが他のユーザーＤに対して影響を与え、ユーザーＤは、従来の閉鎖された環境にない解放された環境を享受できる。
また、図示省略するが、サーバーＸが、ユーザーＢおよびＣに対してリクエストｂの他に、ユーザーＤからのリクエストｄについての広告コンテンツデータを配信すれば、ユーザーＤのリクエストが他のユーザーＢおよびＣに対して影響を与えることになる。さらに、リクエスト内容が異なれば、ユーザーＢとユーザーＣとの間でも同様である。
なお、第一の実施形態ではユーザーからのリクエストに対応させた広告コンテンツを配信しているが、サーバーに登録されているユーザー属性情報に対応させた広告コンテンツを配信することとしてもよい。
【００２５】
図３は、第二の実施形態を示す概念図である。
第二の実施形態においても第一の実施形態と同様に、サーバーＹと、複数のユーザー端末１，１，…とを常時接続する。
サーバーＹには予めアプリケーションを蓄積したアプリケーションデータベースを備えている。
【００２６】
ユーザー側では、ユーザー端末がサーバーに蓄積されたアプリケーションの利用を可能とする仮想デスクトップを、サーバーＹからユーザー端末１へ配信される（１）。ユーザー端末１では、配信された仮想デスクトップをデスクトップとして表示させる。仮想デスクトップには、サーバーに蓄積されたアプリケーションのアイコン４が複数表示される。
そして、ユーザー側が仮想デスクトップからアイコンをクリックしてアプリケーションを選択すると（２）、サーバーＹのアプリケーションデータベースからユーザーの選択したアプリケーションがユーザー端末へ提供される（３）。ここでは、ユーザーは表計算ツールを選択して、サーバーＹから表計算ツールの提供を受けた。
【００２７】
第二の実施形態のように、サーバーＹからアプリケーションの提供を受けることができると、ユーザー端末１にアプリケーションを所持（インストール）しておく必要がなくなる。
サーバーＹから必要なアプリケーションを必要な時だけ提供を受け、利用することが可能となる。
【００２８】
図５は、第三の実施形態の実施形態を示す概念図である。第三の実施形態は、いわゆるグリッドコンピューティングに関するものである。
【００２９】
サーバーＺは、大容量の計算に対しては、まず割振手段によってユーザー端末１，１，…へ大容量の計算を割り振る。
そして、割り振られたユーザー端末１，１，…では、計算処理手段によって割り振られた計算を処理する。
サーバーＺは、結果回収手段によってユーザー端末１，１，…の計算処理した結果を回収することで、計算結果を得る。
【００３０】
第三の実施形態においても第一及び第二の実施形態と同様に、サーバーＺと、複数のユーザー端末１，１，…とを常時接続することで、このグリッドコンピューティングを容易に実施することが可能となる。
また、図示省略するが、サーバーと、複数のユーザー端末とを常時接続することで、ユーザー端末どうしが直接通信を行ういわゆるＰ２Ｐも容易に実施することが可能となる。
【００３１】
【発明の効果】
本発明によれば、次のような効果を有する。
▲１▼ユーザー側は本サービスを受けるにあたり、とくにＣＤ−ＲＯＭ等の記録媒体やダウンロードなどによるユーザー端末の機能強化・設備追加を不要とできために、コストパフォーマンスが非常に高い。
▲２▼ユーザー端末のデスクトップが室内に置かれた観葉植物のような存在となり、ＩＴ事業の中で立ち遅れているユーザーの「感性」に訴えることができる。
▲３▼アイコンを隠さないで、デスクトップとしてコンテンツデータを表示させながら、他のプログラムを立ち上げてパソコンを操作することも可能であり、ユーザー側はＯＳとのシームレスな操作感覚を得ることができる。
▲４▼あるユーザーのリクエストが他のユーザーに対して影響を与え、ユーザーは、従来の閉鎖された環境にない解放された環境を享受できる。
【００３２】
また、次のような効果も有する。
▲５▼ユーザー端末にアプリケーションを所持（インストール）しておく必要がなくなり、サーバーから必要なアプリケーションを必要な時だけ提供を受け、利用することが可能となる。
▲６▼ユーザー端末を利用してグリッドコンピューティングを容易に実施することが可能となる。ユーザー端末どうしが直接通信を行う（Ｐ２Ｐ）も容易に実施することが可能となる。
【図面の簡単な説明】
【図１】本発明の第一の実施形態を示す概念図。
【図２】本発明の第一の実施形態を説明する説明図。
【図３】本発明の第一の実施形態を説明する説明図。
【図４】本発明の第二の実施形態を示す概念図。
【図５】本発明の第三の実施形態を示す概念図。
【図６】従来の技術を示す概念図。
【図７】その他の従来の技術を示す概念図。
【符号の説明】
１  ユーザー端末
２  ユーザー端末のデスクトップ
３  観葉植物
４  アイコン
【図１】
2004280510.tif 000003
【図２】
2004280510.tif 000004
【図３】
2004280510.tif 000005
【図４】
2004280510.tif 000006
【図５】
2004280510.tif 000007
【図６】
2004280510.tif 000008
【図７】
2004280510.tif 000009